(57)【特許請求の範囲】
【請求項１】
互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、
前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、
前記一方の蓋部には、他方の蓋部へ係合する側縁に沿って、面ファスナを備えた可撓性を有する係合フラップが設けられると共に、他方の蓋部には、前記係合フラップに対応する部位に面ファスナが設けられ、前記２面の蓋部を閉姿勢に回動すると双方の蓋部の側縁同士が突き合わされ、前記一方の蓋部の係合フラップを他方の蓋部に当接させて面ファスナ同士を係合させるもので、
使用時には、前記２面の蓋部および底面部を閉姿勢に回動し互いに係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な折り畳み式保冷容器。
【請求項２】
前記折曲可能な２面の周壁部には、上側縁に沿って面ファスナを備えた可撓性を有する係合フラップが横方向よりも上方へ向けて付勢された状態で設けられると共に、当該面ファスナに対応させて前記２面の蓋部に面ファスナが設けられ、前記２面の蓋部を閉姿勢へ向けて回動すると、蓋部が前記係合フラップを押下しつつ当接して面ファスナ同士が係合する請求項１に記載の折り畳み式保冷容器。
【請求項３】
互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、
前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、
前記折曲可能な２面の周壁部には、上側縁に沿って面ファスナを備えた可撓性を有する係合フラップが横方向よりも上方へ向けて付勢された状態で設けられると共に、当該面ファスナに対応させて前記２面の蓋部に面ファスナが設けられ、前記２面の蓋部を閉姿勢へ向けて回動すると、蓋部が前記係合フラップを押下しつつ当接して面ファスナ同士が係合するもので、
使用時には、前記２面の蓋部および底面部を閉姿勢に回動し互いに係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な折り畳み式保冷容器。
【請求項４】
前記係合フラップは、防水性を有する生地で製される請求項１から３のいずれか一項に記載の折り畳み式保冷容器。
【請求項５】
折り畳みに際して、前記底面部を周壁部内方へ折曲する構成とされ、使用時において前記底面部の外面全面を覆う可撓性を有する底面シートを、前記４面の周壁部の下側縁に沿って取り付けた請求項１乃至４のいずれか一項に記載の折り畳み式保冷容器。
【請求項６】
互いに折曲可能に方形状に連接された４面の周壁部と、周壁部の上側縁に沿って折曲可能に連接された蓋部と、周壁部の下側縁に沿って折曲可能に連接された底面部とを備え、
前記周壁部、蓋部および底面部は、いずれもシート材に平板状の真空断熱材を内包して形成され、前記蓋部および底面部の連接された周壁部に隣接する対向する２面の周壁部は、略中央部に高さ方向へ延びる折り畳み線に沿って真空断熱材が分割されて前記折り畳み線に沿って前記周壁部が折曲可能とされ、前記周壁部、蓋部および底面部は、前記真空断熱材を内包して連接されたままの状態で、組み立てて箱体としたり、折り畳んで重ね合わせることができ、
折り畳みに際して、前記底面部を周壁部内方へ折曲する構成とされ、使用時において前記底面部の外面全面を覆う可撓性を有する底面シートを、前記４面の周壁部の下側縁に沿って取り付け、
使用時には、前記蓋部および底面部を閉姿勢に回動し係合させて箱体とされ、不使用時には、前記蓋部および底面部の係合を解除し、前記底面部を周壁部内方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な折り畳み式保冷容器。
【請求項７】
互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、
前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、
折り畳みに際して、前記底面部を周壁部内方へ折曲する構成とされ、使用時において前記底面部の外面全面を覆う可撓性を有する底面シートを、前記４面の周壁部の下側縁に沿って取り付け、
使用時には、前記２面の蓋部および底面部を閉姿勢に回動し互いに係合させて箱体とされ、不使用時には、前記蓋部および底面部の係合を解除し、前記底面部を周壁部内方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な折り畳み式保冷容器。
【請求項８】
前記底面シートは、防水性を有する生地で製される請求項５から７のいずれか一項に記載の折り畳み式保冷容器。
【請求項９】
前記蓋部の内部に可撓性を有する内蓋が設けられ、当該内蓋は、前記蓋部の一方が連接される周壁部の上側縁に沿って取り付けられ、当該内蓋の長さは、対向する周壁部の内面下端までの長さ以上である請求項１乃至８のいずれか一項に記載の折り畳み式保冷容器。
【請求項１０】
互いに折曲可能に方形状に連接された４面の周壁部と、周壁部の上側縁に沿って折曲可能に連接された蓋部と、周壁部の下側縁に沿って折曲可能に連接された底面部とを備え、
前記周壁部、蓋部および底面部は、いずれもシート材に平板状の真空断熱材を内包して形成され、前記蓋部および底面部の連接された周壁部に隣接する対向する２面の周壁部は、略中央部に高さ方向へ延びる折り畳み線に沿って真空断熱材が分割されて前記折り畳み線に沿って前記周壁部が折曲可能とされ、前記周壁部、蓋部および底面部は、前記真空断熱材を内包して連接されたままの状態で、組み立てて箱体としたり、折り畳んで重ね合わせることができ、
前記蓋部の内部に可撓性を有する内蓋が設けられ、当該内蓋は、前記蓋部の一方が連接される周壁部の上側縁に沿って取り付けられ、当該内蓋の長さは、対向する周壁部の内面下端までの長さ以上であり、
使用時には、前記蓋部および底面部を閉姿勢に回動し係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な折り畳み式保冷容器。
【請求項１１】
互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、
前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、
前記蓋部の内部に可撓性を有する内蓋が設けられ、当該内蓋は、前記蓋部の一方が連接される周壁部の上側縁に沿って取り付けられ、当該内蓋の長さは、対向する周壁部の内面下端までの長さ以上であり、
使用時には、前記２面の蓋部および底面部を閉姿勢に回動し互いに係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な折り畳み式保冷容器。
【請求項１２】
前記蓋部、周壁部、底面部または内蓋の少なくともいずれかの内面に、蓄冷剤を収納する蓄冷剤収納部を設けた請求項９から１１のいずれか一項に記載の折り畳み式保冷容器。
【請求項１３】
前記折り畳み式保冷容器を収納する保護容器を備え、当該保護容器は、使用時に箱体とされた折り畳み式保冷容器を収納すると共に、不使用時に折り畳まれた複数の折り畳み式保冷容器を収納可能である請求項１乃至１２のいずれか一項に記載の折り畳み式保冷容器。
【請求項１４】
互いに折曲可能に方形状に連接された４面の周壁部と、周壁部の上側縁に沿って折曲可能に連接された蓋部と、周壁部の下側縁に沿って折曲可能に連接された底面部とを備え、保護容器に収納される折り畳み式保冷容器であって、
前記周壁部、蓋部および底面部は、いずれもシート材に平板状の真空断熱材を内包して形成され、前記蓋部および底面部の連接された周壁部に隣接する対向する２面の周壁部は、略中央部に高さ方向へ延びる折り畳み線に沿って真空断熱材が分割されて前記折り畳み線に沿って前記周壁部が折曲可能とされ、前記周壁部、蓋部および底面部は、前記真空断熱材を内包して連接されたままの状態で、組み立てて箱体としたり、折り畳んで重ね合わせることができ、
使用時には、前記蓋部および底面部を閉姿勢に回動し係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能であり、
前記保護容器は、使用時に箱体とされた前記折り畳み式保冷容器を収納すると共に、不使用時に折り畳まれた複数の前記折り畳み式保冷容器を収納可能である折り畳み式保冷容器。
【請求項１５】
互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、保護容器に収納される折り畳み式保冷容器であって、
前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、
使用時には、前記２面の蓋部および底面部を閉姿勢に回動し互いに係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能であり、
前記保護容器は、使用時に箱体とされた前記折り畳み式保冷容器を収納すると共に、不使用時に折り畳まれた複数の前記折り畳み式保冷容器を収納可能である折り畳み式保冷容器。
【発明の詳細な説明】
【技術分野】
【０００１】
本発明は、主として保冷輸送を行うための容器で、不使用時に折り畳むことのできる折り畳み式保冷容器に関する。
【背景技術】
【０００２】
近年、冷凍食品などの普及に伴い保冷を必要とする冷凍商品の配送が増加している。このような配送は、冷凍商品の工場から卸業者（物流センター）などへの大口配送と、卸業者からスーパーマーケットやコンビニエンスストアなどへの小口配送とに区分して行われるのが一般的である。ところで、卸業者からマーケットやコンビニエンスストアなどへ冷凍商品を配送する小口配送では、冷凍商品を配送先毎に区別して保冷容器に収納して配送される。
【０００３】
従来より、保冷容器としては、発泡ポリスチレンや硬質発泡ウレタンフォームなどの簡易な断熱材を用い、チャックや面ファスナなどを用いて蓋の開閉を行うものが多用されている。しかし、このような保冷容器は断熱材の初期熱伝導率が高く保冷性能に劣り、しかも、配送後の運搬や保管に嵩張る嫌いがある。このため、保冷性能を向上させた折り畳み可能な保冷容器が開発された（特許文献１参照）。
【０００４】
図９は、特許文献１に開示された保冷容器１００を示す斜視図である。特許文献１に開示された保冷容器１００は、柔軟性を有する外袋ｌ０１および内袋１０３と、真空断熱パネル１０２で構成される。
【０００５】
外袋１０１は、底面と４側面の５面が略直方体に縫製され、側面から底面を経て対向する側面に渡ってベルト１０５が掛けられている。また、外袋１０１の上部一辺には蓋部１０４が縫製され、外袋１０１の底部と蓋部１０４の内部には、予め真空断熱パネル（図示せず）が設けられている。
【０００６】
使用に際しては、外袋１０１の４側面に沿って４枚の断熱パネル１０２を挿入し、断熱パネル１０２の面ファスナ１１１を外袋１０１の面ファスナ１１０に係合させる。
【０００７】
更に、内袋１０３を断熱パネル１０２の装着された外袋１０１の内部に挿入し、内袋１０３の面ファスナ１１２を断熱パネル１０２の面ファスナ１１１に係合させて組み立てられる。
【０００８】
組み立てられた保冷容器１００の内袋１０３の内部に、冷凍商品などを収納し、蓋部１０４を外袋１０１に被せて、蓋部１０４の面ファスナ１０６，１０８を外袋１０１の面ファスナ１０７，１０９に各々係合させて閉じられ配送が行われる。
【０００９】
また、特許文献１に開示された保冷容器１００は、不使用時に折り畳み可能である。則ち、不使用時は、組み立て時とは逆に、外袋１０１から内袋１０３および４枚の断熱パネル１０２を取り外し、外袋１０１の内部に取り外した断熱パネル１０２および折り畳んだ内袋１０３を収納する。
【００１０】
そして、外袋１０１を折り畳みつつ蓋部１０４を底面に対向させて重ね合わせ、ベルト１０５の両端にベルト１１３をかけて折り畳まれる。
【００１１】
則ち、特許文献１に開示された保冷容器１００は、使用時は断熱効果を有する箱体として冷凍商品の保冷配送に供され、不使用時は、折り畳んで嵩張ることなく運搬・保管できるものである。
【特許文献１】特開２００３−１１２７８６号公報
【発明の開示】
【発明が解決しようとする課題】
【００１２】
ところが、特許文献１に開示された保冷容器１００は、上記したように、使用に際しての組み立てや、不使用時に際しての折り畳みに手間を要するものであった。
【００１３】
このため、配送に際して多数の保冷容器１００を使用する場合は、配送前の組み立て作業や配送後の折り畳み作業に多大な手間が掛かり、作業効率を低下させる要因となっていた。
【００１４】
また、特許文献１に開示された保冷容器１００は、取り外し可能な断熱パネル１０２や内袋１０３を備えて構成されるため、構成部材の一部を紛失し易かった。
【００１５】
また、特許文献１に開示された保冷容器１００以外にも、折り畳み可能な保冷容器は多数提案されている。しかし、組み立てや折り畳みが容易なものは保冷性能に劣るものが多く、優れた保冷性能を備え、しかも、迅速に組み立てや折り畳み可能な保冷容器の開発が待たれていた。
【００１６】
本発明は、上記した事情に鑑みて提案されるもので、高い保冷性能能を備えつつ、しかも、短時間に組み立て、折り畳み可能な保冷容器を提供することを目的としている。
【課題を解決するための手段】
【００１７】
上記目的を達成するために本発明の折り畳み式保冷容器は、互いに折曲可能に方形状に連接された４面の周壁部と、周壁部の上側縁に沿って折曲可能に連接された蓋部と、周壁部の下側縁に沿って折曲可能に連接された底面部とを備え、周壁部、蓋部および底面部は、いずれもシート材に平板状の真空断熱材を内包して形成され、蓋部および底面部の連接された周壁部に隣接する対向する２面の周壁部は、略中央部に高さ方向へ延びる折り畳み線に沿って真空断熱材が分割されて前記折り畳み線に沿って前記周壁部が折曲可能とされ、前記周壁部、蓋部および底面部は、前記真空断熱材を内包して連接されたままの状態で、組み立てて箱体としたり、折り畳んで重ね合わせることができ、使用時には、前記蓋部および底面部を閉姿勢に回動し係合させて箱体とされ、不使用時には、蓋部および底面部の係合を解除し、底面部を周壁部内方または周壁部外方へ折曲すると共に蓋部を周壁部内方または周壁部外方へ折曲し、折曲可能な周壁部を折り畳み線に沿って内方へ折曲しつつ隣接する周壁部同士を近接させて、蓋部、周壁部および底面部を重ね合わせて折り畳み可能な構成にしたものである。
【００１８】
本発明によれば、４面の周壁部、蓋部および底面部の全てが、シート材に真空断熱材を内包して形成されるので、高い保冷性能が発現される。また、周壁部、底面部および蓋部は、いずれも、シート材に平板状の真空断熱材を内包して一体的に形成される。従って、真空断熱材を取り外すような手間を要することなく、短時間に組み立てや折り畳みを行うことが可能である。
【００１９】
また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【００２０】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【発明の効果】
【００２１】
本発明によれば、優れた保冷性能を備えつつ、不使用時には折り畳んで容易に回収・保管することのできる折り畳み式保冷容器を提供できる。
【００２２】
また、使用に際して容易に組み立てられ優れた保冷性能を発現すると共に、不使用時には短時間に容易に折り畳んで回収・保管可能な折り畳み式保冷容器を提供できる。
【発明を実施するための最良の形態】
【００２３】
上記目的を達成するために提案される請求項１に記載の発明は、互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、前記一方の蓋部には、他方の蓋部へ係合する側縁に沿って、面ファスナを備えた可撓性を有する係合フラップが設けられると共に、他方の蓋部には、前記係合フラップに対応する部位に面ファスナが設けられ、前記２面の蓋部を閉姿勢に回動すると双方の蓋部の側縁同士が突き合わされ、前記一方の蓋部の係合フラップを他方の蓋部に当接させて面ファスナ同士を係合させるもので、使用時には、前記２面の蓋部および底面部を閉姿勢に回動し互いに係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な構成とされた折り畳み式保冷容器である。
【００２４】
本発明によれば、４面の周壁部、２面の蓋部および２面の底面部の全てが、シート材に真空断熱材を内包して形成されるので、高い保冷性能が発現される。
【００２５】
また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【００２６】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【００２７】
したがって、使用に際して容易に組み立てられ優れた保冷性能を発現すると共に、不使用時には短時間に容易に折り畳んで回収・保管可能な折り畳み式保冷容器を提供できる。
【００２８】
２面の蓋部を係合させる構成としては、例えば、２面の蓋部を閉姿勢に回動させて互いの端部同士を重ね合わせて係合させる構成を採ることができる。しかし、この構成では、蓋部の厚さが増加するに連れて、係合させたときに蓋部間に段差が生じ、蓋部と折曲可能な周壁部との間に隙間が生じる。このため、隙間を介して保冷容器の内外が連通し、保冷性能が損なわれる。
【００２９】
本発明によれば、２面の蓋部を閉姿勢に回動すると、双方の蓋部の側縁向士が突き合わされる。これにより、蓋部の厚さが増加しても蓋部同士の間に段差を生じることがなく、蓋部と折曲可能な周壁部の上側縁との間に隙間が生じない。
【００３０】
また、一方の蓋部の係合フラップを他方の蓋部に当接させて面ファスナ同士を係合させるので、双方の蓋部の側縁の突き合わせ部位が係合フラップで覆われる。これにより、蓋部の側縁の突き合わせ部位を係合フラップで遮蔽して内外の連通を遮蔽することができ、保冷性能が向上する。
【００３１】
また、係合フラップが可撓性を有するので、係合フラップの一部を掴んで面ファスナ同士の係合を容易に解除することができる。
【００３２】
本発明の構成は、底面部にも適用することが可能である。
【００３３】
本発明の構成を底面部に適用することにより、底面部の厚さが増加しても、底面部同士を係合させたときに折曲可能な周壁部との間に隙間を生じることがない。また、一方の底面部の係合フラップを他方の底面部に当接させて面ファスナ同士を係合させるので、双方の底面部の側縁の突き合わせ部位が係合フラップで覆われ、遮蔽性を一層向上させることが可能である。
【００３４】
したがって、保冷容器の遮蔽性を向上させることができ、保冷性熊を向上しつつ、組み立て・折り畳みを容易に行うことのできる折り畳み式保冷容器を提供できる。
【００３５】
請求項２に記載の発明は、請求項１に記載の折り畳み式保冷容器において、折曲可能な２面の周壁部には、上側縁に沿って面ファスナを備えた可撓性を有する係合フラップが横方向よりも上方へ向けて付勢された状態で設けられると共に、当該面ファスナに対応させて２面の蓋部に面ファスナが設けられ、２面の蓋部を閉姿勢へ向けて回動すると、蓋部が係合フラップを押下しつつ当接して面ファスナ同士が係合する構成とされている。
【００３６】
ここで、２面の蓋部を閉姿勢で係合させる構成として、上記請求項１に記載の構成、則ち、蓋部同士の側縁を突き合わせて係合フラップで係合させる構成を採用した場合であっても、折曲可能な周壁部と蓋部とは辺で当接するだけである。このため、折曲可能な周壁部と蓋部との間に隙間が生じ易く、保冷性能を損なう要因となる。
【００３７】
本発明によれば、折曲可能な周壁部の上側縁に沿って係合フラップが設けられるので、蓋部を閉姿勢へ向けて回動すると、蓋部の内面によって係合フラヅプが内方へ倒れるように押し下げられる。そして、係合フラップと蓋部の面ファスナ同士が係合する。これにより、折曲可能な周壁部と蓋部との間が係合フラップによって遮蔽されることとなり、隙間の発生が防止されて保冷性能が向上する。
【００３８】
また、本発明によれば、係合フラップが横方向よりも上方へ向けて付勢されている。従って、係合フラップの付勢力に抗して蓋部を閉姿勢へ向けて回動させるだけで、自ずと係合フラップと蓋部の面ファスナ同士を係合させることができる。
【００３９】
本発明において、係合フラップを横方向よりも上方へ向けて付勢させる構成としては、例えば、係合フラップに復元力を有する素材（生地）を使用し、当該係合フラップを折曲可能な周壁部の上側縁のシート材に略上方へ向けて縫製するような構成を採ることができる。この構成によれば、長期間の使用によっても係合フラップが下方へ垂れ下がることがなく、蓋部を閉姿勢へ向けて回動させるだけで面ファスナ同士を確実に係合させることが可能となる。
【００４０】
したがって、保冷容器の遮蔽性を向上させることができ、保冷性熊を向上しつつ、組み立て・折り畳みを容易に行うことのできる折り畳み式保冷容器を提供できる。
【００４１】
請求項３に記載の発明は、互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、前記折曲可能な２面の周壁部には、上側縁に沿って面ファスナを備えた可撓性を有する係合フラップが横方向よりも上方へ向けて付勢された状態で設けられると共に、当該面ファスナに対応させて前記２面の蓋部に面ファスナが設けられ、前記２面の蓋部を閉姿勢へ向けて回動すると、蓋部が前記係合フラップを押下しつつ当接して面ファスナ同士が係合するもので、使用時には、前記２面の蓋部および底面部を閉姿勢に回動し互いに係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な構成とされた折り畳み式保冷容器である。
【００４２】
本発明によれば、４面の周壁部、２面の蓋部および２面の底面部の全てが、シート材に真空断熱材を内包して形成されるので、高い保冷性能が発現される。
【００４３】
また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【００４４】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【００４５】
したがって、使用に際して容易に組み立てられ優れた保冷性能を発現すると共に、不使用時には短時間に容易に折り畳んで回収・保管可能な折り畳み式保冷容器を提供できる。
【００４６】
本発明によれば、折曲可能な周壁部の上側縁に沿って係合フラップが設けられるので、蓋部を閉姿勢へ向けて回動すると、蓋部の内面によって係合フラヅプが内方へ倒れるように押し下げられる。そして、係合フラップと蓋部の面ファスナ同士が係合する。これにより、折曲可能な周壁部と蓋部との間が係合フラップによって遮蔽されることとなり、隙間の発生が防止されて保冷性能が向上する。
【００４７】
また、本発明によれば、係合フラップが横方向よりも上方へ向けて付勢されている。従って、係合フラップの付勢力に抗して蓋部を閉姿勢へ向けて回動させるだけで、自ずと係合フラップと蓋部の面ファスナ同士を係合させることができる。
【００４８】
本発明において、係合フラップを横方向よりも上方へ向けて付勢させる構成としては、例えば、係合フラップに復元力を有する素材（生地）を使用し、当該係合フラップを折曲可能な周壁部の上側縁のシート材に略上方へ向けて縫製するような構成を採ることができる。この構成によれば、長期間の使用によっても係合フラップが下方へ垂れ下がることがなく、蓋部を閉姿勢へ向けて回動させるだけで面ファスナ同士を確実に係合させることが可能となる。
【００４９】
したがって、保冷容器の遮蔽性を向上させることができ、保冷性熊を向上しつつ、組み立て・折り畳みを容易に行うことのできる折り畳み式保冷容器を提供できる。
【００５０】
請求項４に記載の発明は、請求項１から３のいずれか一項に記載の折り畳み式保冷容器において、係合フラップは、防水性を有する生地で製される構成とされている。
【００５１】
本発明によれば、係合フラップが、防水性を有する生地で製される。これにより、係合フラップに水が浸透することが防止されて耐久性が向上する。
【００５２】
本発明において、耐水性を有する生地としては、例えば、ポリエステル素材にに防水加工を施した生地などを用いることができる。
【００５３】
請求項５に記載の発明は、請求項１乃至４のいずれか一項に記載の折り畳み式保冷容器において、折り畳みに際して、底面部を周壁部内方へ折曲する構成とされ、使用時において底面部の外面全面を覆う可撓性を有する底面シートを、４面の周壁部の下側縁に沿って取り付けた構成とされている。
【００５４】
本発明によれば、底面シートによって底面部の外面全面が覆われる。これにより、底面部を閉姿勢としたときに、底面部同士や、折曲可能な周壁部と底面部との間に隙間が生じても、底面シートによって内外の連通が遮断され、保冷性能が損なわれない。
【００５５】
また、収納された冷凍商品などに付着した氷が融けて水が内部に流動しても、底面シートによって保冷容器外部への流出を阻止することができる。
【００５６】
また、本発明によれば、底面部を周壁部内方へ折曲して折り畳むので、折り畳みに際して底面シートが障害になることがなく、しかも、底面シートは可撓性を有するので、折り畳む際に周壁部の内方へ容易に収納可能である。
【００５７】
したがって、保冷容器の遮蔽性を向上することによって保冷性能を向上させた折り畳み式保冷容器を提供できる。
【００５８】
請求項６に記載の発明は、互いに折曲可能に方形状に連接された４面の周壁部と、周壁部の上側縁に沿って折曲可能に連接された蓋部と、周壁部の下側縁に沿って折曲可能に連接された底面部とを備え、前記周壁部、蓋部および底面部は、いずれもシート材に平板状の真空断熱材を内包して形成され、前記蓋部および底面部の連接された周壁部に隣接する対向する２面の周壁部は、略中央部に高さ方向へ延びる折り畳み線に沿って真空断熱材が分割されて前記折り畳み線に沿って前記周壁部が折曲可能とされ、前記周壁部、蓋部および底面部は、前記真空断熱材を内包して連接されたままの状態で、組み立てて箱体としたり、折り畳んで重ね合わせることができ、折り畳みに際して、前記底面部を周壁部内方へ折曲する構成とされ、使用時において前記底面部の外面全面を覆う可撓性を有する底面シートを、前記４面の周壁部の下側縁に沿って取り付け、使用時には、前記蓋部および底面部を閉姿勢に回動し係合させて箱体とされ、不使用時には、前記蓋部および底面部の係合を解除し、前記底面部を周壁部内方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な構成とされた折り畳み式保冷容器である。
【００５９】
本発明によれば、４面の周壁部、蓋部および底面部の全てが、シート材に真空断熱材を内包して形成されるので、高い保冷性能が発現される。また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【００６０】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【００６１】
したがって、使用に際して容易に組み立てられ優れた保冷性能を発現すると共に、不使用時には短時間に容易に折り畳んで回収・保管可能な折り畳み式保冷容器を提供できる。
【００６２】
本発明によれば、底面シートによって底面部の外面全面が覆われる。これにより、底面部を閉姿勢としたときに、底面部同士や、折曲可能な周壁部と底面部との間に隙間が生じても、底面シートによって内外の連通が遮断され、保冷性能が損なわれない。
【００６３】
また、収納された冷凍商品などに付着した氷が融けて水が内部に流動しても、底面シートによって保冷容器外部への流出を阻止することができる。
【００６４】
また、本発明によれば、底面部を周壁部内方へ折曲して折り畳むので、折り畳みに際して底面シートが障害になることがなく、しかも、底面シートは可撓性を有するので、折り畳む際に周壁部の内方へ容易に収納可能である。
【００６５】
したがって、保冷容器の遮蔽性を向上することによって保冷性能を向上させた折り畳み式保冷容器を提供できる。
【００６６】
請求項７に記載の発明は、互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、折り畳みに際して、前記底面部を周壁部内方へ折曲する構成とされ、使用時において前記底面部の外面全面を覆う可撓性を有する底面シートを、前記４面の周壁部の下側縁に沿って取り付け、使用時には、前記２面の蓋部および底面部を閉姿勢に回動し互いに係合させて箱体とされ、不使用時には、前記蓋部および底面部の係合を解除し、前記底面部を周壁部内方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な構成とされた折り畳み式保冷容器である。
【００６７】
本発明によれば、４面の周壁部、２面の蓋部および２面の底面部の全てが、シート材に真空断熱材を内包して形成されるので、高い保冷性能が発現される。
【００６８】
また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【００６９】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【００７０】
したがって、使用に際して容易に組み立てられ優れた保冷性能を発現すると共に、不使用時には短時間に容易に折り畳んで回収・保管可能な折り畳み式保冷容器を提供できる。
【００７１】
本発明によれば、底面シートによって底面部の外面全面が覆われる。これにより、底面部を閉姿勢としたときに、底面部同士や、折曲可能な周壁部と底面部との間に隙間が生じても、底面シートによって内外の連通が遮断され、保冷性能が損なわれない。
【００７２】
また、収納された冷凍商品などに付着した氷が融けて水が内部に流動しても、底面シートによって保冷容器外部への流出を阻止することができる。
【００７３】
また、本発明によれば、底面部を周壁部内方へ折曲して折り畳むので、折り畳みに際して底面シートが障害になることがなく、しかも、底面シートは可撓性を有するので、折り畳む際に周壁部の内方へ容易に収納可能である。
【００７４】
したがって、保冷容器の遮蔽性を向上することによって保冷性能を向上させた折り畳み式保冷容器を提供できる。
【００７５】
請求項８に記載の発明は、請求項５から７のいずれか一項に記載の折り畳み式保冷容器において、底面シートは、防水性を有する生地で製される構成とされている。
【００７６】
本発明によれば、底面部の外面を覆う底面シートが、防水性を有する生地で製される。これにより、底面シートによって保冷容器から外部への水の流出を防止することが可能となる。
【００７７】
本発明において、耐水性を有する生地としては、例えば、ポリエステル素材にに防水加工を施した生地などを用いることができる。
【００７８】
請求項９に記載の発明は、請求項１乃至８のいずれか一項に記載の折り畳み式保冷容器において、蓋部の内部に可撓性を有する内蓋が設けられ、当該内蓋は、蓋部の一方が連接される周壁部の上側縁に沿って取り付けられ、当該内蓋の長さは、対向する周壁部の内面下端までの長さ以上である構成とされている。
【００７９】
本発明によれば、蓋部の内部に内蓋を設けることにより、内外の遮蔽性を向上させて保冷性能を一層向上させることが可能である。
【００８０】
また、本発明によれば、保冷容器内の一部に冷凍商品が収納される場合であっても、内蓋が前記長さを有するので、内蓋によって底面部まで確実に覆うことができ、保冷性能の向上を図ることが可能である。
【００８１】
本発明において、内蓋は、可撓性を有するシート材を用いて形成することができる。また、シート材の内部に断熱材（真空断熱材）を内包して、内蓋による断熱性を向上させた構成とすることも可能である。
【００８２】
したがって、保冷容器内外の遮蔽性を向上することによって保冷性能を向上させた折り畳み式保冷容器を提供できる。
【００８３】
請求項１０に記載の発明は、互いに折曲可能に方形状に連接された４面の周壁部と、周壁部の上側縁に沿って折曲可能に連接された蓋部と、周壁部の下側縁に沿って折曲可能に連接された底面部とを備え、前記周壁部、蓋部および底面部は、いずれもシート材に平板状の真空断熱材を内包して形成され、前記蓋部および底面部の連接された周壁部に隣接する対向する２面の周壁部は、略中央部に高さ方向へ延びる折り畳み線に沿って真空断熱材が分割されて前記折り畳み線に沿って前記周壁部が折曲可能とされ、前記周壁部、蓋部および底面部は、前記真空断熱材を内包して連接されたままの状態で、組み立てて箱体としたり、折り畳んで重ね合わせることができ、前記蓋部の内部に可撓性を有する内蓋が設けられ、当該内蓋は、前記蓋部の一方が連接される周壁部の上側縁に沿って取り付けられ、当該内蓋の長さは、対向する周壁部の内面下端までの長さ以上であり、使用時には、前記蓋部および底面部を閉姿勢に回動し係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な構成とされた折り畳み式保冷容器である。
【００８４】
本発明によれば、４面の周壁部、蓋部および底面部の全てが、シート材に真空断熱材を内包して形成されるので、高い保冷性能が発現される。また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【００８５】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【００８６】
したがって、使用に際して容易に組み立てられ優れた保冷性能を発現すると共に、不使用時には短時間に容易に折り畳んで回収・保管可能な折り畳み式保冷容器を提供できる。
【００８７】
本発明によれば、蓋部の内部に内蓋を設けることにより、内外の遮蔽性を向上させて保冷性能を一層向上させることが可能である。
【００８８】
また、本発明によれば、保冷容器内の一部に冷凍商品が収納される場合であっても、内蓋が前記長さを有するので、内蓋によって底面部まで確実に覆うことができ、保冷性能の向上を図ることが可能である。
【００８９】
本発明において、内蓋は、可撓性を有するシート材を用いて形成することができる。また、シート材の内部に断熱材（真空断熱材）を内包して、内蓋による断熱性を向上させた構成とすることも可能である。
【００９０】
したがって、保冷容器内外の遮蔽性を向上することによって保冷性能を向上させた折り畳み式保冷容器を提供できる。
【００９１】
請求項１１に記載の発明は、互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、前記蓋部の内部に可撓性を有する内蓋が設けられ、当該内蓋は、前記蓋部の一方が連接される周壁部の上側縁に沿って取り付けられ、当該内蓋の長さは、対向する周壁部の内面下端までの長さ以上であり、使用時には、前記２面の蓋部および底面部を閉姿勢に回動し互いに係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能な構成とされた折り畳み式保冷容器である。
【００９２】
本発明によれば、４面の周壁部、２面の蓋部および２面の底面部の全てが、シート材に真空断熱材を内包して形成されるので、高い保冷性能が発現される。
【００９３】
また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【００９４】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【００９５】
したがって、使用に際して容易に組み立てられ優れた保冷性能を発現すると共に、不使用時には短時間に容易に折り畳んで回収・保管可能な折り畳み式保冷容器を提供できる。
【００９６】
本発明によれば、蓋部の内部に内蓋を設けることにより、内外の遮蔽性を向上させて保冷性能を一層向上させることが可能である。
【００９７】
また、本発明によれば、保冷容器内の一部に冷凍商品が収納される場合であっても、内蓋が前記長さを有するので、内蓋によって底面部まで確実に覆うことができ、保冷性能の向上を図ることが可能である。
【００９８】
本発明において、内蓋は、可撓性を有するシート材を用いて形成することができる。また、シート材の内部に断熱材（真空断熱材）を内包して、内蓋による断熱性を向上させた構成とすることも可能である。
【００９９】
したがって、保冷容器内外の遮蔽性を向上することによって保冷性能を向上させた折り畳み式保冷容器を提供できる。
【０１００】
請求項１２に記載の発明は、請求項９から１１のいずれか一項に記載の折り畳み式保冷容器において、蓋部、周壁部、底面部または内蓋の少なくともいずれかの内面に、蓄冷剤を収納する蓄冷剤収納部を設けた構成とされている。
【０１０１】
本発明によれば、配送中に保冷容器内部で蓄冷剤が移動することがなく、蓄冷剤の移動によってシート材や冷凍商品が傷つくこともない。
【０１０２】
蓄冷剤収納部は、例えば、周壁部の内面にメッシュ状のネット材などを取り付けて形成することができ、蓄冷剤の挿入が容易で保冷効果を損なうこともない。
【０１０３】
また、保冷容器内部に内蓋を設ける構成では、内蓋の取り付けられる周壁部の内面に蓄冷剤収納部を設けるのが良い。蓄冷剤収納部をこの部位に設けることにより、蓄冷剤と収納される冷凍商品とを内蓋で容易に覆うことができ、保冷性能を一層向上させることができる。
【０１０４】
したがって、蓄冷剤を容易に収容することができ、作業性を向上した折り畳み式保冷容器を提供できる。
【０１０５】
請求項１３に記載の発明は、請求項１乃至１２のいずれか一項に記載の折り畳み式保冷容器において、折り畳み式保冷容器を収納する保護容器を備え、当該保護容器は、使用時に箱体とされた折り畳み式保冷容器を収納すると共に、不使用時に折り畳まれた複数の折り畳み式保冷容器を収納可能である構成とされている。
【０１０６】
本発明の保冷容器は、所定の強度および剛性を備えた真空断熱材を用いることにより、保冷容器単体の強度、剛性を得ることは可能である。しかし、配送中に保冷容器に過大な外力が加わって破損する虞もある。また、配送に際して保冷容器を多段に積み上げる場合などは、強度が不足することも生じる。
【０１０７】
本発明によれば、保冷容器を保護容器に収納することにより、保冷容器に直接外力が加わることがなく、保冷容器の破損が防止される。
【０１０８】
また、保冷容器を保護容器に収納して多段に積み重ねた場合でも、上部側の重量が保護容器で支持され、保冷容器に直接荷重が加わることがない。これにより、保冷容器の破損を防止可能である。この場合、保護容器同士を積み上げて係合可能な構造を採ることにより、積み込みなどの作業効率を一層向上することができる。
【０１０９】
また、本発明によれば、不使用時に折り畳まれた複数の保冷容器を保護容器の内部に収納することができ、保冷容器の回収や保管を効率良く行うことができる。
【０１１０】
保護容器は、合成樹脂成形品などで製することにより、軽量で充分な強度、剛性を備えることができる。また、保護容器を折り畳み可能な構造とすることにより、配送後の回収を容易に行うことができ、保管スペースも削減される。
【０１１１】
したがって、折り畳み式保冷容器に加わる外力を低減して耐久性を向上させることができ、しかも、折り畳み式保冷容器の運搬や保管を容易に行うことが可能となる。
【０１１２】
請求項１４に記載の発明は、互いに折曲可能に方形状に連接された４面の周壁部と、周壁部の上側縁に沿って折曲可能に連接された蓋部と、周壁部の下側縁に沿って折曲可能に連接された底面部とを備え、保護容器に収納される折り畳み式保冷容器であって、前記周壁部、蓋部および底面部は、いずれもシート材に平板状の真空断熱材を内包して形成され、前記蓋部および底面部の連接された周壁部に隣接する対向する２面の周壁部は、略中央部に高さ方向へ延びる折り畳み線に沿って真空断熱材が分割されて前記折り畳み線に沿って前記周壁部が折曲可能とされ、前記周壁部、蓋部および底面部は、前記真空断熱材を内包して連接されたままの状態で、組み立てて箱体としたり、折り畳んで重ね合わせることができ、使用時には、前記蓋部および底面部を閉姿勢に回動し係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能であり、前記保護容器は、使用時に箱体とされた前記折り畳み式保冷容器を収納すると共に、不使用時に折り畳まれた複数の前記折り畳み式保冷容器を収納可能である構成とされた折り畳み式保冷容器である。
【０１１３】
本発明によれば、４面の周壁部、蓋部および底面部の全てが、シート材に真空断熱材を内包して形成されるので、高い保冷性能が発現される。また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【０１１４】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【０１１５】
したがって、使用に際して容易に組み立てられ優れた保冷性能を発現すると共に、不使用時には短時間に容易に折り畳んで回収・保管可能な折り畳み式保冷容器を提供できる。
【０１１６】
本発明の保冷容器は、所定の強度および剛性を備えた真空断熱材を用いることにより、保冷容器単体の強度、剛性を得ることは可能である。しかし、配送中に保冷容器に過大な外力が加わって破損する虞もある。また、配送に際して保冷容器を多段に積み上げる場合などは、強度が不足することも生じる。
【０１１７】
本発明によれば、保冷容器を保護容器に収納することにより、保冷容器に直接外力が加わることがなく、保冷容器の破損が防止される。
【０１１８】
また、保冷容器を保護容器に収納して多段に積み重ねた場合でも、上部側の重量が保護容器で支持され、保冷容器に直接荷重が加わることがない。これにより、保冷容器の破損を防止可能である。この場合、保護容器同士を積み上げて係合可能な構造を採ることにより、積み込みなどの作業効率を一層向上することができる。
【０１１９】
また、本発明によれば、不使用時に折り畳まれた複数の保冷容器を保護容器の内部に収納することができ、保冷容器の回収や保管を効率良く行うことができる。
【０１２０】
保護容器は、合成樹脂成形品などで製することにより、軽量で充分な強度、剛性を備えることができる。また、保護容器を折り畳み可能な構造とすることにより、配送後の回収を容易に行うことができ、保管スペースも削減される。
【０１２１】
したがって、折り畳み式保冷容器に加わる外力を低減して耐久性を向上させることができ、しかも、折り畳み式保冷容器の運搬や保管を容易に行うことが可能となる。
【０１２２】
請求項１５に記載の発明は、互いに折曲可能に方形状に連接された４面の周壁部と、対向する２面の周壁部の上側縁に沿って折曲可能に連接された２面の蓋部と、当該蓋部の連接された２面の周壁部の下側縁に沿って折曲可能に連接された２面の底面部とを備え、保護容器に収納される折り畳み式保冷容器であって、前記周壁部、蓋部および底面部は、いずれもシート材に平板状の真空断熱材を内包して形成され、前記蓋部および底面部の連接された周壁部に隣接する２面の周壁部は、略中央部に高さ方向へ延びる折り畳み線に沿って真空断熱材が分割されて前記折り畳み線に沿って折曲可能とされ、前記周壁部、蓋部および底面部は、前記真空断熱材を内包して連接されたままの状態で、組み立てて箱体としたり、折り畳んで重ね合わせることができ、使用時には、前記２面の蓋部および底面部を閉姿勢に回動し互いに係合させて箱体とされ、不使用時には、前記蓋部および底面部の係合を解除し、前記底面部を周壁部内方または周壁部外方へ折曲すると共に前記蓋部を周壁部内方または周壁部外方へ折曲し、前記折曲可能な周壁部を折り畳み線に沿って内方へ折曲しつつ隣接する周壁部同士を近接させて、前記蓋部、周壁部および底面部を重ね合わせて折り畳み可能であり、前記保護容器は、使用時に箱体とされた前記折り畳み式保冷容器を収納すると共に、不使用時に折り畳まれた複数の前記折り畳み式保冷容器を収納可能である構成とされた折り畳み式保冷容器である。
【０１２３】
本発明によれば、４面の周壁部、２面の蓋部および２面の底面部の全てが、シート材に真空断熱材を内包して形成されるので、高い保冷性能が発現される。
【０１２４】
また、本発明によれば、周壁部、蓋部および底面部は全て折曲可能に連接されている。そして、連接されたままの状態で、組み立てて箱体としたり、折り畳んで重ね合わせることができる。これにより、別部材を取り付けたり取り外す手間が不要となり、組み立てや折り畳みに要する手間を著しく軽減することができる。また、各部が連接されているので、部材の一部を紛失するような虞もない。
【０１２５】
また、本発明によれば、真空断熱材を内包したシート材で各面が形成されるので、各面の強度および剛性が高く、組み立てて箱体とした場合の強度、剛性が向上する。また、折り畳む際には、折曲可能な周壁部を折り畳み線に沿って内方へ折曲する。これにより、折曲可能な周壁部が隣接する周壁部からはみ出すことなくコンパクトに折り畳むことができ、回収や保管に便利である。
【０１２６】
したがって、使用に際して容易に組み立てられ優れた保冷性能を発現すると共に、不使用時には短時間に容易に折り畳んで回収・保管可能な折り畳み式保冷容器を提供できる。
【０１２７】
本発明の保冷容器は、所定の強度および剛性を備えた真空断熱材を用いることにより、保冷容器単体の強度、剛性を得ることは可能である。しかし、配送中に保冷容器に過大な外力が加わって破損する虞もある。また、配送に際して保冷容器を多段に積み上げる場合などは、強度が不足することも生じる。
【０１２８】
本発明によれば、保冷容器を保護容器に収納することにより、保冷容器に直接外力が加わることがなく、保冷容器の破損が防止される。
【０１２９】
また、保冷容器を保護容器に収納して多段に積み重ねた場合でも、上部側の重量が保護容器で支持され、保冷容器に直接荷重が加わることがない。これにより、保冷容器の破損を防止可能である。この場合、保護容器同士を積み上げて係合可能な構造を採ることにより、積み込みなどの作業効率を一層向上することができる。
【０１３０】
また、本発明によれば、不使用時に折り畳まれた複数の保冷容器を保護容器の内部に収納することができ、保冷容器の回収や保管を効率良く行うことができる。
【０１３１】
保護容器は、合成樹脂成形品などで製することにより、軽量で充分な強度、剛性を備えることができる。また、保護容器を折り畳み可能な構造とすることにより、配送後の回収を容易に行うことができ、保管スペースも削減される。
【０１３２】
したがって、折り畳み式保冷容器に加わる外力を低減して耐久性を向上させることができ、しかも、折り畳み式保冷容器の運搬や保管を容易に行うことが可能となる。
【０１３３】
以下に、図面を参照して本発明の実施の形態を説明する。
【０１３４】
図１は、本実施の形態に係る折り畳み式保冷容器１を示す斜視図、図２は図１のＡ−Ａ矢視断面図、図３は図１の保冷容器１の蓋部を閉じる状態を示す斜視図、図４は図３のＣ方向矢視図、図５は図３のＥ−Ｅ矢視断面図、図６は図１のＢ−Ｂ矢視断面図において底面部の係合を解除した状態を示す断面図、図７（ａ）〜（ｅ）は図１の保冷容器１を折り畳む手順を示す斜視図である。また、図８（ａ）は図１の保冷容器１を保護容器に収納した状態を示す斜視図、同図（ｂ），（ｃ）は、不使用時に折り畳まれた保冷容器１を保護容器に収納する状態を示す斜視図である。
【０１３５】
本実施の形態の折り畳み式保冷容器１は、使用時には箱体とされ、不使用時に折り畳むことのできる折り畳み可能な保冷容器である。
【０１３６】
本実施の形態の保冷容器１は、図１の様に、互いに折曲可能に方形状に連接された４面の周壁部１０，１０，１３，１３と、対向する２面の周壁部１０，１０の上側縁１１，１１に沿って折曲可能に連接された２面の蓋部１６，１６と、当該蓋部１６，１６の連接された２面の周壁部１０，１０の下側縁１２，１２に沿って折曲可能に連接された２面の底面部２１，２１とを備えて形成される。
【０１３７】
本実施の形態では、蓋部１６は、対向する蓋部１６側へ向かう長さ、則ち、周壁部１０の上側縁１１から蓋部１６の側縁１７までの長さＬが、周壁部１３の幅Ｄの略半分であり、２面の蓋部１６，１６は同一形状を有する。また、２面の底面部２１，２１も蓋部１６と同一形状を有する。また、蓋部１６の長さＬは、周壁部１０の高さＨよりも短い構成としている。
【０１３８】
具体的には、本実施の形態の保冷容器１は、図１の様に、幅Ｗが６００ｍｍ、奥行きＤが４００ｍｍ、高さＨが３００ｍｍのサイズであり、蓋部１６の長さＬは略２００ｍｍであって高さＨよりも短い構成としている。また、保冷容器１の内容積は略７０リットルである。
【０１３９】
周壁部１０、蓋部１６および底面部２１は、図２の様に、いずれもシート材３０に平板状の真空断熱材３１を内包して形成される。
【０１４０】
真空断熱材３１は、図２の様に、繊維材または樹脂発泡材または粒状体の素材のうちの少なくともいずれか１種類の素材で成る芯材３２を、ガスバリア性を有する外被材３３で覆い、その内部を減圧して真空封入して形成される断熱材である。
【０１４１】
本実施の形態では、外被材３３として、ガスバリア層の内外に熱溶着層および保護層を積層して形成されるラミネートフィルムを使用した。則ち、外被材３３は、アルミニウムなどの金属箔や、金属または無酸化物の蒸着されたフィルムをガスバリア層とし、当該ガスバリア層の内面側に、無延伸ポリプロピレン等のフィルムを熱溶着層として積層すると共に、ガスバリア層の外面側に、ナイロンやポリエチレンテレフタレートなどのフイルムを保護層として積層したラミネートフィルムである。また、芯材３２は、繊維材をバインダーを用いて加熱成形したものを使用した。
【０１４２】
本実施の形態では、このような構成の真空断熱材３１であって、その熱伝導率（初期熱伝導率）が０．００５Ｗ／ｍＫ、その厚さが１０ｍｍ前後のものを用いている。これにより、周壁部１０、蓋部１６および底面部２１における高い断熱性を確保すると共に、当該各部の薄型化を図っている。
【０１４３】
シート材３０は、ポリエステル生地の裏面に合成樹脂コートを施したものを縫製により成形加工したもので、耐水性、防水性および柔軟性を兼ね備えている。
【０１４４】
本実施の形態では、周壁部１０、蓋部１６および底面部２１のうち、保冷容器１の使用時または不使用時に外部側に位置する面には、図２の様に、厚さ４ｍｍのシート材３０ａを用い、他の面には厚さ２ｍｍのシート材３０ｂを用いている。
【０１４５】
則ち、保冷容器１の周壁部１０、蓋部１６および底面部２１の各部は、耐水性、防水性および柔軟性を備えた袋状に縫製されたシート材３０の内部に真空断熱材３１を内包した構造である。これらの、周壁部１０、蓋部１６および底面部２１は、互いのシート材３０の側縁同士が縫製によって接続されて、折曲可能にされている。
【０１４６】
また、図１の様に、蓋部１６および底面部２１の連接された周壁部１０，１０に隣接する２面の周壁部１３，１３は、略中央部に高さ方向へ延びる折り畳み線２３に沿って真空断熱材が分割され、当該折り畳み線２３に沿って周壁部１３が折曲可能とされている。
【０１４７】
則ち、周壁部１３は、袋状に縫製されたシート材３０の内部に二つの真空断熱材３１，３１を収納し、折り畳み線２３に沿ってシート材３０を縫製して形成され、当該折り畳み線２３に沿って折曲可能とされている。
【０１４８】
図１，図３の様に、一方の蓋部１６には、側縁１７に沿って、面ファスナ１８ａを備えた可撓性を有する係合フラップ１８が設けられ、他方の蓋部１６には、一方の蓋部１６の係合フラップ１８に対応させて面ファスナ２０が設けられている。係合フラップ１８も、上記したシート材３０ｂ（厚さ２ｍｍ、図２参照）を用いており、当該シート材３０ｂに面ファスナ１８ａを縫製して形成されている。
【０１４９】
また、図１，図３の様に、折曲可能な２面の周壁部１３には、上側縁１４に沿って、面ファスナ２４ａを備えた可撓性を有する係合フラップ２４が略上方へ向けて付勢された状態で縫製によって取り付けられている。係合フラップ２４も、上記したシート材３０ｂ（厚さ２ｍｍ、図２参照）を用いており、当該シート材３０ｂに面ファスナ２４ａを縫製して形成されている。
【０１５０】
また、係合フラップ２４の面ファスナ２４ａに対応させて、２面の蓋部１６，１６の内面には面ファスナ１９，１９が設けられている。
【０１５１】
底面部２１は蓋部１６と同一の基本構造を有する。則ち、図１，図６の様に、一方の底面部２１には、側縁２９に沿って、面ファスナ２２ａを備えた可撓性を有する係合フラップ２２が設けられている。また、他方の底面部２１には、一方の底面部２１の係合フラップ２２に対応させて面ファスナ２８が設けられている。この係合フラップ２２も、上記したシート材３０ｂ（厚さ２ｍｍ、図２参照）を用いており、当該シート材３０ｂに面ファスナ２２ａを縫製して形成されている。
【０１５２】
また、図１，図６の様に、底面部２１の外面側には、外面全面を覆う可撓性を有する底面シート２７が設けられている。則ち、底面シート２７は、２面の底面部２１の外形と略等しい長方形のシートであり、その４つの辺部を周壁部１０，１３の下側縁１２，１５に沿って縫製して取り付けられている。本実施の形態では、底面シート２７にも、上記したシート材３０ｂ（厚さ２ｍｍ、図２参照）を用いている。
【０１５３】
保冷容器１の内部には、内蓋２５が設けられている。内蓋２５は、可撓性を有する方形状のシート材であり、図１，図５の様に、蓋部１６が連接される周壁部１０の上側縁１１に沿ってその一辺が縫製によって取り付けられている。内蓋２５は、蓋部１６による遮蔽性を補助するための遮蔽材ある。
【０１５４】
本実施の形態では、内蓋２５は、図１の様に、保冷容器１の幅Ｗと略等しい幅を有し、その長さは、図５の様に、対向する周壁部１０までの長さＤと周壁部１０の高さＨの和以上とされている。内蓋２５をこのサイズに設定することにより、図５の様に、保冷容器１の内部の一部に冷凍商品Ｓ１〜Ｓ４が収納されて隙間が生じる場合でも、冷凍商品Ｓ１〜Ｓ４の全てを内蓋２５で覆いつくすことができ、遮蔽効果が増大する。
【０１５５】
また、保冷容器１の内部には、蓄冷剤を収納する蓄冷剤収納部２６を設けている。蓄冷剤収納部２６は、図１，図５の様に、メッシュ状のネット材を用いて形成した袋体であり、図５の様に、内部に蓄冷剤３４を収納可能である。本実施の形態では、蓄冷剤収納部２６を、前記内蓋２５が連接された周壁部１０の内面に設けている。これにより、蓄冷剤３４および冷凍商品Ｓ１〜Ｓ４を内蓋２５で容易に覆うことができ、冷凍商品Ｓ１〜Ｓ４の保冷性能および遮蔽性の向上を図っている。
【０１５６】
尚、蓄冷剤収納部２６は、周壁部１０の内面に限らず、周壁部１３や蓋部１６の内面に複数設けることも可能である。
【０１５７】
本実施の形態では、蓄冷剤収納部２６に、融点が−２７℃〜−１８℃、重量が１ｋｇの蓄冷剤３４を２個収納可能としている。また、本実施の形態で使用した蓄冷剤３４は、（株）イノアックコーポレーション製「ＣＡＨ−１００１マイナス２５℃グレード」である。
【０１５８】
次に、本実施の形態の保冷容器１の使用時に際しての組み立て手順を説明する。
【０１５９】
まず、図６の様に、底面部２１，２１を閉姿勢（水平方向）へ回動させて、図５の様に、側縁２９，２９同士を突き合わせる。そして、一方の底面部２１に設けた係合フラップ２２を他方の底面部２１に押圧して、係合フラップ２２の面ファスナ２２ａと他方の底面部２１の面ファスナ２８を互いに係合させる。
【０１６０】
底面部２１，２１をこのように係合すると、図５の様に、双方の底面部２１によって略平面が形成され、当該底面２１，２１の下方には全面を覆うように底面シート２７が位置する。従って、底面部２１と周壁部１３との間に僅かな隙間が生じた場合でも、底面シート２７によって内外の連通が遮断され、保冷性能が損なわれることがない。
【０１６１】
また、本実施の形態では、底面シート２７に耐水性および防水性を有するシート材３０ｂを用いており、内部に滞留する水が容器外部に流出することを防止している。
【０１６２】
次いで、図５の様に、必要に応じて蓄冷剤収納部２６に上記した蓄冷剤３４を収納すると共に、配送しようとする冷凍食品などの冷凍商品Ｓ１〜Ｓ４を内部に収納し、冷凍商品Ｓ１〜Ｓ４を覆うように内蓋２５をかける。
【０１６３】
ここで、本実施の形態では、蓄冷剤３４に融点が−２７℃以上−１８℃以下のものを使用している。これは、通常、小ロ配送を行う卸業者や物流センターでは、冷凍倉庫を−３０℃〜−２２℃程度に温度管理することが多い。従って、当該冷凍倉庫に保管するだけで蓄冷剤３４を固体化させ得るように、前記範囲の融点を有する蓄冷剤３４を使用している。これにより、配送時には、冷凍倉庫で保管されて固体化された蓄冷剤を直ちに保冷容器１に収納して保冷に供することが可能となる。
【０１６４】
収納しようとする冷凍商品Ｓ１〜Ｓ４を全て収納すると、蓋部１６，１６を閉姿勢（略水平方向）へ回動させる。図３の様に、蓋部１６，１６を内方へ向けて回動すると、周壁部１３に略上方へ向けて設けられた係合フラップ２４が、蓋部１６の回動によって押圧されて内方へ倒れ、係合フラップ２４の面ファスナ２４ａと蓋部１６の面ファスナ１９が互いに係合する。
【０１６５】
そして、蓋部１６，１６の双方を閉姿勢に移動すると、係合フラップ２４の面ファスナ２４ａの全面が蓋部１６の面ファスナ１９と係合し、蓋部１６と周壁部１３との間が係合フラップ２４によって遮蔽される。
【０１６６】
また、蓋部１６，１６を閉姿勢に移動すると、図４の様に、蓋部１６，１６の側縁１７，１７同士が互いに突き合わされる。そして、最後に、一方の蓋部１６に設けた係合フラップ１８を他方の蓋部１６に押圧して、面ファスナ１８ａ，２０を互いに係合させる。これにより、蓋部１６，１６の側縁１７，１７同士の突き合わせ部位が係合フラップ１８で覆われる。
【０１６７】
則ち、本実施の形態の保冷容器１は、底面部２１，２１および蓋部１６，１６を閉姿勢に回動して係合フラップ２２，１８で係合するだけで、図７（ａ）の様に、真空断熱材３１を内包した周壁部１０，１３、底面部２１および蓋部１６で囲まれた箱体が形成される。
【０１６８】
そして、形成された箱体は、図５の様に、底面部２１，２１の側縁２９，２９同士の突き合わせ部位が係合フラップ２２で覆われると共に、底面部２１の外面が底面シート２７で覆われる。更に、図４の様に、蓋部１６，１６の突き合わせ部位は係合フラップ１８で覆われると共に、蓋部１６と周壁部１３との間が係合フラップ２４によって遮蔽される。
【０１６９】
このように、本実施の形態の保冷容器１は、底面部２１，２１および蓋部１６，１６を閉姿勢に移動させて組み立てるだけで、内外の連通が完全に遮断され、しかも全面が真空断熱材で囲まれた極めて断熱性の高い箱体を直ちに形成することができる。
【０１７０】
本実施の形態では、保冷容器１の内部に、融点が−２７℃以上−１８℃以下の蓄冷剤を、５０リットル当たりにつき１個収納することにより、保冷容器１の内部の雰囲気の平均温度を１０時間以上継続して０℃以下に保持可能であり、冷凍商品（例えばアイスクリーム）の品温に置き換えれば、１０時間以上継続して概ね−１５℃までに保持できる。従って、本実施の形態の保冷容器１に蓄冷剤を併用して配送を行うことにより、冷凍商品を低温に維持して品質を損ねることなく長距離配送を行うことが可能となる。なお、蓄冷剤の少なくとも一部をドライアイスで代用しても構わない。
【０１７１】
次に、不使用時に際しての保冷容器１の折り畳み手順を説明する。
【０１７２】
保冷容器１の折り畳みは、例えば、配送を終えて保冷容器１が空になった時や、配送元に戻って保冷容器１を収納保管する際に行われる。尚、以下の折り畳み手順の説明においては、蓄冷剤収納部２６に収納された蓄冷剤３４は取り出されているものとする。
【０１７３】
折り畳みに際しては、まず、図７（ａ）の様に、箱体とされている保冷容器１の蓋部１６の係合フラップ２４掴んで引き上げる。そして、図７（ｂ）の様に、係合フラップ１８の面ファスナ１８ａと蓋部１６の面ファスナ２０の係合、および、係合フラップ２４の面ファスナ２４ａと蓋部１６の面ファスナ１９の係合を解除しつつ蓋部１６，１６を開姿勢へ回動する。
【０１７４】
次いで、図６，図７（ｃ）の様に、内蓋２５を蓄冷剤収納部２６側へ寄せ、底面部２１の係合フラップ２２を掴んで引き上げて、係合フラップ２２の面ファスナ２２ａと底面部２１の面ファスナ２８の係合を解除する。そして、図７（ｄ）の様に、底面部２１，２１を周壁部１０，１０の内面に折り重ねると共に、蓋部１６，１６を周壁部１０，１０の外面に折り重ねる。
【０１７５】
続いて、図７（ｄ）の様に、周壁部１３，１３を折り畳み線２３に沿って内方に折曲しつつ、周壁部１０，１０同士を近接させる。これにより、図７（ｅ）の様に、外側から順に蓋部１６、周壁部１０、底面部２１および折曲された周壁部１３の４面が対象に重ね合わせられ、全８面が重なった状態で折り畳みが完了する。
【０１７６】
このように、本実施の形態の保冷容器１は、従来のように断熱パネルなどの部材の着脱を行うことなく、短時間に極めて容易にコンパクトに折り畳むことができる。
【０１７７】
保冷容器１を折り畳むと、図７（ｅ）の様に、蓋部１６，１６、周壁部１０，１０、底面部２１，２１および周壁部１３，１３の合計８面が折り重ねられた状態となる。
【０１７８】
また、上記したように、本実施の形態では、周壁部１０，１３の高さＨ（３００ｍｍ）に対して、蓋部１６および底面部２１の長さＬ（２００ｍｍ）が短い。これにより、保冷容器１を折り畳むと、周壁部１０を最大外寸として前記８面が重ね合わせられた形状となる。
【０１７９】
また、図１の保冷容器１は、使用時または不使用時に外部側に位置する全ての面に対して、図２で示した厚手のシート材３０ａを使用している。則ち、周壁部１０、周壁部１３および底面部２１の外面側と、蓋部１６の内面および外面側の各々の面に、図２で示した厚手のシート材３０ａを採用している。
【０１８０】
より具体的には、蓋部１６は、真空断熱材３１の厚さ（１０ｍｍ）と、それを内包するシート材３０ａの厚さ（４ｍｍ＋４ｍｍ）の和である厚さ１８ｍｍである。周壁部１０，１３は、真空断熱材３１の厚さ（１０ｍｍ）と、それを内包するシート材３０ａ，３０ｂの厚さ（４ｍｍ＋２ｍｍ）の和である厚さ１６ｍｍである。また、底面部２１は、真空断熱材３１の厚さ（１０ｍｍ）と、それを内包するシート材３０ａ，３０ｂの厚さ（４ｍｍ＋２ｍｍ）の和である厚さ１６ｍｍである。従って、折り畳んで８面を重ね合わせると、その厚さの合計は略１３２ｍｍとなる。
【０１８１】
則ち、本実施の形態の保冷容器１を折り畳むと、周壁部１０の外寸（Ｗ６００ｍｍ×Ｈ３００ｍｍ）を最大外寸とし、厚さを略１３２ｍｍに縮小することができ、使用時の箱体に比べて極めてコンパクトにすることができる。これにより、折り畳んだ複数の保冷容器１を汎用のロールパレットなどに収納して容易に移動させることも可能である。
【０１８２】
また、上記したように、使用時または不使用時に外部側に位置する全ての面に対して、厚手のシート材３０ａを使用している。
【０１８３】
従って、使用に際して箱体が形成されたときは、各面に内包される真空断熱材３１が厚手のシート材３０ａによって外力から保護される。また、不使用時に折り畳むと、蓋部１６の内面が厚手のシート材３０ａによって外力から保護されることとなる。これにより、使用時および不使用時の双方において、真空断熱材３１を外力から保護することができ、真空断熱材３１の破損を防止して耐久性を向上することが可能となる。
【０１８４】
ここで、本実施の形態の保冷容器１は、上記したように、所定の強度および剛性を備えた真空断熱材３１を内包した蓋部１６、周壁部１０，１３および底面部２１で形成されるので、保冷容器１を単独で使用する場合でも、ある程度の強度および剛性を得ることができる。しかし、保冷容器１を、更に強度および剛性の高い保護容器に収納してセットで使用することにより、保冷容器１の耐久性を著しく向上させることができる。
【０１８５】
例えば、図８（ａ）の様に、保冷容器１をすっぽり収納可能な保護容器２を用意し、配送に際して箱体とされた保冷容器１を収納してセットで使用する構成を採ることができる。
【０１８６】
図８（ａ）に示す保護容器２は、合成樹脂材を成形加工して製されたもので、上方が開放された箱形状を有し、極めて軽量である。保護容器２は、上部および下部の外面を全周に渡って突出させてフランジ部２ａ，２ｂを形成している。従って、フランジ部２ａを手掛かりとして保護容器２を容易に持ち運び可能である。また、保冷容器１を保護容器２に収納したまま、係合フラップ１８を掴んで蓋部１６，１６を開閉することができる。
【０１８７】
また、保護容器２のフランジ部２ｂを別の保護容器２のフランジ部２ａに重ね合わせて係合可能な構造とされており、保護容器２を多段に積み重ねることができる。従って、配送車などに、保冷容器１を収納した保護容器２を多数積み込む場合でも、多段に積み上げることによって積み込みスペースを有効に利用でき、しかも、保冷容器１に直接過大な荷重が加わることがなく損傷を受けることがない。
【０１８８】
このように、保冷容器１を軽量化された保護容器２とセットで使用することにより、保冷容器１の耐久性を著しく向上させることが可能となる。
【０１８９】
更に、図７（ｅ）に示したように、保冷容器１は、周壁部１０を最大外寸として８面が重ね合わせられた形状に折り畳み可能である。従って、図８（ｂ），（ｃ）の様に、一つの保護容器２に、折り畳んだ複数の保冷容器１・・を収納することができる。
【０１９０】
これにより、複数の保冷容器１を纏めて保護容器２に収納して容易に持ち運ぶことができ、配送に際しての準備作業や回収作業を効率良く行うことができる。また、複数の保冷容器１を保護容器２に整理して保管でき、保管スペースも削減できる。
【０１９１】
尚、図８で示した保護容器２は、箱形に形成されたものとして述べたが、保護容器２を折り畳み可能な構造とすることにより、準備や回収時における保護容器２の持ち運びが容易となり、保管スペースも削減することが可能となる。
【産業上の利用可能性】
【０１９２】
本発明の折り畳み式保冷容器は、優れた保冷性能を備えつつ、不使用時には折り畳んで容易に回収・保管することができるので、冷凍商品の保冷輸送等の用途に適している。
【図面の簡単な説明】
【０１９３】
【図１】本発明の実施の形態に係る折り畳み式保冷容器を示す斜視図
【図２】図１のＡ−Ａ矢視断面図
【図３】図１の保冷容器の蓋部を閉じる状態を示す斜視図
【図４】図３のＣ方向矢視図
【図５】図３のＥ−Ｅ矢視断面図
【図６】図１のＢ−Ｂ矢視断面図において底面部の係合を解除した状態を示す断面図
【図７】（ａ）〜（ｅ）は、図１の保冷容器を折り畳む手順を示す斜視図
【図８】（ａ）は、図１の保冷容器を保護容器に収納した状態を示す斜視図、（ｂ），（ｃ）は、折り畳まれた保冷容器を保護容器に収納する過程を示す斜視図
【図９】従来の保冷容器を示す斜視図
【符号の説明】
【０１９４】
１      折り畳み式保冷容器
２      保護容器
１０，１３  周壁部
１１，１４  上側縁
１２，１５  下側縁
１６    蓋部
１７    側縁
１８    係合フラップ
１８ａ  面ファスナ
１９    面ファスナ
２０    面ファスナ
２１    底面部
２３    折り畳み線
２４    係合フラップ
２４ａ  面ファスナ
２５    内蓋
２６    蓄冷剤収納部
２７    底面シート
３０    シート材
３１    真空断熱材
３２    芯材
３３    外被材
３４    蓄冷剤
【図１】
0003711997.tif 000002
【図２】
0003711997.tif 000003
【図３】
0003711997.tif 000004
【図４】
0003711997.tif 000005
【図５】
0003711997.tif 000006
【図６】
0003711997.tif 000007
【図７】
0003711997.tif 000008
【図８】
0003711997.tif 000009
【図９】
0003711997.tif 000010